(57)【特許請求の範囲】
【請求項１】
基材上に、印刷模様を有し、前記印刷模様の少なくとも一部に複数の第１の画線から成る第１の画線群と、複数の微小文字から成る微小文字群を有する微小文字を備えた印刷物において、
前記第１の画線群は、前記第１の画線が前記基材の垂直方向又は水平方向に対して、あるいは、前記印刷模様の垂直方向又は水平方向に対して、ほぼ４０〜８５度又はほぼ９５〜１４０度の第１の方向に沿って、第１のピッチで複数配置して形成され、
前記微小文字群は、前記微小文字が斜体文字であり、かつ、前記第１の方向と同一方向に複数配置して形成される第１の微小文字群が前記第１のピッチと同一ピッチで複数配置されることを特徴とする微小文字を備えた印刷物。
【請求項２】
前記第１の画線の間、前記第１の微小文字群と前記第１の微小文字群の間、前記第１の画線と前記第１の微小文字群の間に、第２の画線が前記第１の方向と同一方向に、前記第１のピッチと同一ピッチで複数配置されることを特徴とする請求項１記載の微小文字を備えた印刷物。
【請求項３】
前記第１の微小文字群の間に、第３の画線が前記基材の垂直方向又は水平方向に対して、あるいは、前記印刷模様の垂直方向又は水平方向に対して、０度の第２の方向に沿って、第２のピッチで複数配置されることを特徴とする請求項１又は２記載の微小文字を備えた印刷物。
【請求項４】
基材上に、印刷模様を有し、前記印刷模様の少なくとも一部に複数の第１の画線から成る第１の画線群と、複数の微小文字から成る微小文字群と、第２の画線と、第３の画線を有する微小文字を備えた印刷物において、
前記第１の画線群は、前記第１の画線が前記基材の垂直方向又は水平方向に対して、あるいは、前記印刷模様の垂直方向又は水平方向に対して、ほぼ４０〜８５度又はほぼ９５〜１４０度の第１の方向に沿って、第１のピッチで複数配置して形成され、
前記微小文字群は、前記微小文字が斜体文字であり、かつ、前記第１の方向と同一方向に複数配置して形成される第１の微小文字群が前記第１のピッチと同一ピッチで複数配置され、
前記第２の画線は、前記第１の画線の間、前記第１の微小文字群と前記第１の微小文字群の間、前記第１の画線と前記第１の微小文字群の間に、前記第１の方向と同一方向に、前記第１のピッチと同一ピッチで複数配置され、
前記第３の画線は、前記第１の微小文字群の間に、前記基材の垂直方向又は水平方向に対して、あるいは、前記印刷模様の垂直方向又は水平方向に対して、０度の第２の方向に沿って、第２のピッチで複数配置されることを特徴とする微小文字を備えた印刷物。
【請求項５】
前記第２の画線と前記第３の画線は、交差する又は交差しないことを特徴とする請求項４記載の微小文字を備えた印刷物。
【請求項６】
前記第１の画線及び前記第２の画線の少なくとも一方が前記第１の微小文字群の一部に重なっていることを特徴とする請求項４又は５記載の微小文字を備えた印刷物。
【請求項７】
前記第１の画線、前記第２の画線及び前記第３の画線の画線幅は、全てが同一又は少なくとも一種類の画線が異なることを特徴とする請求項４乃至６のいずれか一項記載の微小文字を備えた印刷物。
【請求項８】
前記第１の画線、前記第２の画線及び前記第３の画線の画線の少なくとも一種類の画線は、画線の一部の太さを異ならせ、前記印刷模様の少なくとも一部に階調を施したことを特徴とする請求項４乃至７のいずれか一項記載の微小文字を備えた印刷物。
【発明の詳細な説明】
【技術分野】
【０００１】
本発明は、銀行券、株券、パスポート、有価証券、通行券、カード等の偽造、変造を防止する必要性のある印刷物に適用される、線画によって表現された模様の一部に微小文字を備えた印刷物に関する。
【背景技術】
【０００２】
近年、パソコン等の画像処理器、複写機等の高性能化に伴って、有価証券等の貴重性の高い印刷物の複製等による偽造が急増してきている。
【０００３】
従来から、偽造又は複写の防止を要する有価証券等の貴重性の高い印刷物においては、その模様を表現する手段として、一般的な印刷物に多く用いられている網点よりは、むしろ、線画が多く用いられている。線画としては、万線状の地紋模様や、彩紋模様、銅版画にみられる凹版画線等がある。線画が貴重印刷物に多く用いられる理由は、線画によって表現された印刷物は、網点によって表現された印刷物と比べて、偽造が困難であり、また、その真正印刷物と偽造印刷物とを比べたときに真偽判別が容易な点にある。
【０００４】
一方、線画によって模様を表現する場合は、線の構成のみの模様の形状に加えて、濃淡、明暗などの調子をうまく表現しないと、網点印刷に比べて単調な印刷物となってしまうため、画線の幅、破線、点線等の線の形状を組み合わせて構成することが重要となる。
【０００５】
高精細な線画によって表現された印刷物の場合、真正印刷物と違和感のない偽造印刷物を得るためには、画線の品質を忠実に再現しなければならず、前述のような手法によって得られる複写印刷物や偽造印刷物においては、画線を走査線又は網点によって表現することになるため、高品質な画線を再現することは極めて困難である。
【０００６】
また、真正印刷物と偽造印刷物との真偽判別は、画線の品質を確認することによって行うこととなるが、前述のとおり真正印刷物の忠実な画線の再現は困難であることから、印刷分野の者だけでなく、一般人であっても、偽造印刷物の画線の違和感を一見して確認することができる。以上が、貴重印刷物に線画が用いられている所以である。
【０００７】
複製等による偽造対策としては、シートに印刷する線の一部を拡大すると視認可能で、通常状態では単に線として視認される程度の大きさの文字（以下「微小文字」という。）で構成された印刷物がある（例えば、特許文献１参照）。
【０００８】
微小文字を施した印刷物の場合、複写機で複製すると解像度の関係で、微小文字が潰れて再現できない点を利用しており、当該部分をルーペ等で拡大して観察し、真偽判別を行うものである。
【０００９】
また、微小文字で構成された箇所を事前情報として持たない一般人でも、印刷物中の微小文字の箇所が容易に推定できるよう、目視で画像として判読可能な大きさの文字から、複写機で複製されない微小文字まで、連続的に、又は段階的に変化させた文字等のパターンが印刷されている印刷物もある（例えば、特許文献２参照）。
【００１０】
また、複数の画線によって形成された模様が印刷基材上に印刷されており、複数の画線の一部は文字の大きさが変化する文字列と破線又は点線で構成されている印刷物もある（例えば、特許文献３参照）。
【００１１】
さらに、印刷基材上の少なくとも一部に帯状に連なる彩紋模様が施された印刷物において、彩紋模様の少なくとも一部が文字によって形成され、その文字は２００μｍ〜１,０００μｍの大きさで成り、また、彩紋模様の同一基本軸線上に設けられた文字の画線構成と彩紋模様の画線構成が近似している印刷物もある（例えば、特許文献４参照）。
【００１２】
上記について詳細に示すと、図１に示されたように基材１´上に印刷模様２´の少なくとも一部に複数の画線３ａ´から成る画線群３ａ´と、複数の微小文字３ｂ１´から成る微小文字群３ｂ１´は、画線群３ａ´ の同一基本軸線上の一部に設けられた微小文字群３ｂ１´と画線群３ａ´の全ての画線が交互に配置されている。また、画線群３ａ´と微小文字群３ｂ１´の画線幅（すなわち、画線の長手方向と直交する長さ）については、特に限定されるものではない。交互に配置されたピッチについては、画線面積率に応じて所定のピッチで規則的に配置されている。
【００１３】
また、画線群３ａ´の帯彩紋は彩紋が規則的に集合し、結合されたものであるため、帯彩紋の構造には周期性がある。図１に示されたように、微小文字も一文字「Ａ」、「Ｂ」、「Ｃ」、「Ｄ」それぞれを一周期と捉えて、帯彩紋の一周期の面積Ｓ１´と一文字の一周期の面積Ｓ２´の面積をそれぞれ同等にさせることにより、画線群３ａ´ の同一基本軸線上の一部に設けられた微小文字群３ｂ１´は、目視で視認されたとき、画線群３ａ´の帯彩紋と微小文字群３ｂ１´は同一の濃度に視認され、微小文字が文字として視認し難くなり、画線群３ａ´の帯彩紋と微小文字群３ｂ１´が、馴染む（すなわち、画線と文字等が違和感なく溶け合っているように視認されること。）状態となる。微小文字群３ｂ１´をルーペ等（拡大鏡）で拡大したとき、初めて文字として視認されることから、その存在自体を確認することが非常に困難であり、偽造防止技術自体が施されていることにも気づかれず、偽造防止効果が高く、特に鑑定要素としての効果がある。
【００１４】
貴重印刷物の線画の一種である凹版画線について図２で示される。図２（ａ）に示された基材１´上に印刷模様２´の少なくとも一部に複数の画線３ａ´から成る画線群３ａ´と、複数の画線３ｂ２´から成る画線群３ｂ２´は、任意の角度Ａ１´と同角に配置された画線群３ａ´と、任意の角度Ａ１´と同角に配置された画線群３ｂ２´が交互に配置されている。また、画線群３ａ´と画線群３ｂ２´の画線幅については、特に限定されるものではないが、画線群３ａ´と画線群３ｂ２´が交わらない画線幅が好ましい。画線群３ｂ２´の画線の長さ（すなわち、画線の長手方向の長さ）についても、特に限定されるものではないが、画線群３ｂ２´同士が交わらない画線の長さが好ましい。画線群３ａ´と画線群３ｂ２´のピッチについては、画線面積率に応じて所定のピッチで規則的に配置されている。
【００１５】
図２（ｂ）に示された基材１´上に印刷模様２´の少なくとも一部に複数の画線３ｃ´から成る画線群３ｃ´と、複数の画線３ｂ２´から成る画線群３ｂ２´は、任意の角度Ａ１´と異なる角度に配置された画線群３ｃ´と、任意の角度Ａ１´と同角に配置された画線群３ｂ２´が交互に配置されている。また、画線群３ｃ´と画線群３ｂ２´の画線幅については、特に限定されるものではないが、画線群３ｃ´と画線群３ｂ２´が交わらず、画線群３ｂ２´同士が交わらない画線幅が好ましい。画線群３ｂ２´の画線の長さについても、特に限定されるものではないが、画線群３ｃ´と画線群３ｂ２´が交わらない画線の長さが好ましい。画線群３ｃ´と画線群３ｂ２´のピッチについては、画線面積率に応じて所定のピッチで規則的に配置されている。
【００１６】
図２に示された図柄にあるモティーフ（人物、風景、物体、模様等）の表現域を広げるに当たり印刷模様２´の相対的な濃度を上げるため、画線群３ａ´、画線群３ｂ２´及び画線群３ｃ´の画線幅を大きく（太く）させることができるが、大きく（太く）させ過ぎると凹版インキが保持されずに流れ出る原因になるため、ある程度までしか画線幅を大きく（太く）させることはできない。印刷模様２´の相対的な濃度を上げることは、図３において説明をする。
【００１７】
図３（ａ）に示された凹版画線は、図２（ａ）に示された凹版画線に印刷模様２´の相対的な濃度を上げるために加えた画線群３ｃ´の画線構成となっている。図３（ａ）に示された基材１´上に印刷模様２´の少なくとも一部に複数の画線３ａ´から成る画線群３ａ´、複数の画線３ｂ２´から成る画線群３ｂ２´及び複数の画線３ｃ´から成る画線群３ｃ´は、任意の角度Ａ１´と同角に配置された画線群３ａ´と、任意の角度Ａ１´と同角に配置された画線群３ｂ２´が交互に配置され、任意の角度Ａ１´と異なる角度に画線群３ｃ´が配置されている。
【００１８】
また、画線群３ａ´、画線群３ｂ２´及び画線群３ｃ´の画線幅については、特に限定されるものではないが、画線群３ａ´、画線群３ｂ２´及び画線群３ｃ´がそれぞれ交わらない画線幅が好ましい。さらに、画線群３ｃ´の画線幅は、画線群３ａ´よりも小さく（細く）及び／又は画線群３ａ´と同じにさせている。画線群３ｂ２´の画線の長さについても、特に限定されるものではないが、画線群３ｂ２´と画線群３ｃ´が交わらない画線の長さが好ましい。画線群３ａ´、画線群３ｂ２´及び画線群３ｃ´のピッチについては、画線面積率に応じて所定のピッチで規則的に配置されている。画線群３ｃ´が印刷模様２´の相対的な濃度を上げるための画線となっている。
【００１９】
図３（ｂ）に示された凹版画線は、図２（ｂ）に示された凹版画線に印刷模様２´の相対的な濃度を上げるために加えた画線群３ａ´の画線構成となっている。図３（ｂ）に示された基材１´上に印刷模様２´の少なくとも一部に複数の画線３ｃ´から成る画線群３ｃ´、複数の画線３ｂ２´から成る画線群３ｂ２´及び複数の画線３ａ´から成る画線群３ａ´は、任意の角度Ａ１´と異なる角度に配置された画線群３ｃ´と、任意の角度Ａ１´と同角に配置された画線群３ｂ２´が交互に配置され、任意の角度Ａ１´と同角に画線群３ａ´が配置されている。
【００２０】
また、画線群３ｃ´、画線群３ｂ２´及び画線群３ａ´の画線幅については、特に限定されるものではないが、画線群３ｃ´、画線群３ｂ２´及び画線群３ａ´がそれぞれ交わらない画線幅が好ましい。さらに、画線群３ａ´の画線幅は、画線群３ｃ´よりも小さく（細く）及び／又は画線群３ｃ´と同じにさせている。画線群３ｂ２´の画線の長さについても、特に限定されるものではないが、画線群３ｂ２´と画線群３ｃ´が交わらない画線の長さが好ましい。画線群３ｃ´、画線群３ｂ２´及び画線群３ａ´のピッチについては、画線面積率に応じて所定のピッチで規則的に配置されている。画線群３ａ´が印刷模様２´の相対的な濃度を上げるための画線となっている。
【００２１】
図４（ａ）に示された凹版画線は、凹版画線に微小文字を従来どおりの方法（図１で示された方法）で入れたものを示している。図４（ａ）に示された基材１´上に印刷模様２´の少なくとも一部に複数の画線３ａ´から成る画線群３ａ´、複数の微小文字３ｂ１´から成る微小文字群３ｂ１´及び複数の画線３ｂ２´から成る画線群３ｂ２´は、任意の角度Ａ１´と同角に配置された画線群３ａ´と、９０度の角度Ａ２´と同角に配置された微小文字群３ｂ１´が左右交互に配置されている約右半分の部分と、任意の角度Ａ１´と同角に配置された画線群３ａ´と、任意の角度Ａ１´と同角に配置された画線群３ｂ２´が左右交互に配置されている約左半分の部分の両方が配置されている。
【００２２】
すなわち、図２（ａ）に示された画線群３ｂ２´の一部を微小文字群３ｂ１´に置き換えたことが示されている。微小文字群３ｂ１´が成しているそれぞれの９０度の角度Ａ２´と、画線群３ｂ２´が成しているそれぞれの任意の角度Ａ１´は、異なる角度にさせている。それぞれの９０度の角度Ａ２´とそれぞれの任意の角度Ａ１´を異なる角度にさせることにより、微小文字を成している微小文字群３ｂ１´と、画線を成している画線群３ｂ２´は、違和感があり馴染んでいないように視認される。また、微小文字群３ｂ１´が成しているそれぞれの面積と、画線群３ｂ２´が成しているそれぞれの面積は、同等にさせている。それぞれの面積を同等にさせることにより、微小文字を成している微小文字群３ｂ１´と、画線を成している画線群３ｂ２´は、同等の濃度に視認され、微小文字が文字として視認し難くなる。
【００２３】
さらに、画線群３ａ´、微小文字群３ｂ１´及び画線群３ｂ２´の画線幅については、特に限定されるものではないが、画線群３ａ´、微小文字群３ｂ１´及び画線群３ｂ２´が交わらない画線幅が好ましい。微小文字群３ｂ１´と画線群３ｂ２´の画線の長さについても、特に限定されるものではないが、画線群３ａ´と微小文字群３ｂ１´が交わらず、画線群３ｂ２´同士が交わらない画線の長さが好ましい。画線群３ａ´、微小文字群３ｂ１´及び画線群３ｂ２´のピッチについては、画線面積率に応じて所定のピッチで規則的に配置されている。すなわち、微小文字群３ｂ１´と画線群３ｂ２´の面積は同等のため、濃度は同等に視認され、微小文字が文字として視認し難くなり、微小文字群３ｂ１´と画線群３ｂ２´の角度が異なるため、違和感があり馴染んでいないように視認される。
【００２４】
図４（ｂ）に示された凹版画線は、凹版画線に微小文字を従来どおりの方法（図１で示された方法）で入れたものを示している。図４（ｂ）に示された基材１´上に印刷模様２´の少なくとも一部に複数の画線３ｃ´から成る画線群３ｃ´、複数の微小文字３ｂ１´ から成る微小文字群３ｂ１´及び複数の画線３ｂ２´から成る画線群３ｂ２´は、任意の角度Ａ１´と異なる角度に配置された画線群３ｃ´と、９０度の角度Ａ２´と同角に配置された微小文字群３ｂ１´が上下交互に配置されている約右半分の部分と、任意の角度Ａ１´と異なる角度に配置された画線群３ｃ´と、任意の角度Ａ１´と同角に配置された画線群３ｂ２´が上下交互に配置されている約左半分の部分の両方が配置されている。
【００２５】
すなわち、図２（ｂ）に示された画線群３ｂ２´の一部を微小文字群３ｂ１´に置き換えたことが示されている。微小文字群３ｂ１´が成しているそれぞれの９０度の角度Ａ２´と、画線群３ｂ２´が成しているそれぞれの任意の角度Ａ１´は、異なる角度にさせている。それぞれの９０度の角度Ａ２´とそれぞれの任意の角度Ａ１´を異なる角度にさせることにより、微小文字を成している微小文字群３ｂ１´と、画線を成している画線群３ｂ２´は、違和感があり馴染んでいないように視認される。また、微小文字群３ｂ１´が成しているそれぞれの面積と、画線群３ｂ２´が成しているそれぞれの面積は、同等にさせている。それぞれの面積を同等にさせることにより、微小文字を成している微小文字群３ｂ１´と、画線を成している画線群３ｂ２´は、同等の濃度に視認され、微小文字が文字として視認し難くなる。
【００２６】
さらに、画線群３ｃ´、微小文字群３ｂ１´及び画線群３ｂ２´の画線幅については、特に限定されるものではないが、画線群３ｃ´、微小文字群３ｂ１´及び画線群３ｂ２´が交わらない画線幅が好ましい。微小文字群３ｂ１´と画線群３ｂ２´の画線の長さについても、特に限定されるものではないが、画線群３ｃ´と微小文字群３ｂ１´が交わらず、画線群３ｃ´と画線群３ｂ２´が交わらない画線の長さが好ましい。画線群３ｃ´、微小文字群３ｂ１´及び画線群３ｂ２´のピッチについては、画線面積率に応じて所定のピッチで規則的に配置されている。すなわち、微小文字群３ｂ１´と画線群３ｂ２´の面積は同等のため、濃度は同等に視認され、微小文字が文字として視認し難くなり、微小文字群３ｂ１´と画線群３ｂ２´の角度が異なるため、違和感があり馴染んでいないように視認される。
【００２７】
図５（ａ）に示された凹版画線は、図４（ａ）に示された凹版画線に印刷模様２´の相対的な濃度を上げるために加えた画線群３ｃ´の画線構成となっている。図５（ａ）に示された凹版画線は、凹版画線に微小文字を従来どおりの方法（図１で示された方法）で入れたものを示している。図５（ａ）に示した基材１´上に印刷模様２´の少なくとも一部に複数の画線３ａ´から成る画線群３ａ´、複数の微小文字３ｂ１´から成る微小文字群３ｂ１´、複数の画線３ｂ２´から成る画線群３ｂ２´及び複数の画線３ｃ´から成る画線群３ｃ´は、任意の角度Ａ１´と同角に配置された画線群３ａ´と、９０度の角度Ａ２´と同角に配置された微小文字群３ｂ１´が左右交互に配置されている約右半分の部分と、任意の角度Ａ１´と同角に配置された画線群３ａ´と、任意の角度Ａ１´と同角に配置された画線群３ｂ２´が左右交互に配置されている約左半分の部分の両方が配置され、任意の角度Ａ１´と異なる角度に画線群３ｃ´が配置されている。
【００２８】
すなわち、図３（ａ）に示された画線群３ｂ２´の一部を微小文字群３ｂ１´に置き換えたことが示されている。微小文字群３ｂ１´が成しているそれぞれの９０度の角度Ａ２´と、画線群３ｂ２´が成しているそれぞれの任意の角度Ａ１´は、異なる角度にさせている。それぞれの９０度の角度Ａ２´とそれぞれの任意の角度Ａ１´を異なる角度にさせることにより、微小文字を成している微小文字群３ｂ１´と、画線を成している画線群３ｂ２´は、違和感があり馴染んでいないように視認される。また、微小文字群３ｂ１´が成しているそれぞれの面積と、画線群３ｂ２´が成しているそれぞれの面積は、同等にさせている。それぞれの面積を同等にさせることにより、微小文字を成している微小文字群３ｂ１´と、画線を成している画線群３ｂ２´は、同等の濃度に視認され、微小文字が文字として視認し難くなる。
【００２９】
また、画線群３ａ´、微小文字群３ｂ１´、画線群３ｂ２´及び画線群３ｃ´の画線幅については、特に限定されるものではないが、画線群３ａ´、微小文字群３ｂ１´、画線群３ｂ２´及び画線群３ｃ´が交わらない画線幅が好ましい。さらに、画線群３ｃ´の画線幅は、画線群３ａ´よりも小さく（細く）及び／又は画線群３ａ´と同等にさせている。微小文字群３ｂ１´と画線群３ｂ２´の画線の長さについても、特に限定されるものではないが、微小文字群３ｂ１´と画線群３ｃ´が交わらず、画線群３ｂ２´と画線群３ｃ´が交わらない画線の長さが好ましい。画線群３ａ´、微小文字群３ｂ１´、画線群３ｂ２´及び画線群３ｃ´のピッチについては、画線面積率に応じて所定のピッチで規則的に配置されている。すなわち、微小文字群３ｂ１´と画線群３ｂ２´の面積は同等のため、濃度は同等に視認され、微小文字が文字として視認し難くなり、微小文字群３ｂ１´と画線群３ｂ２´の角度が異なるため、違和感があり馴染んでいないように視認される。
【００３０】
図５（ｂ）に示された凹版画線は、図４（ｂ）に示された凹版画線に印刷模様２´の相対的な濃度を上げるために加えた画線群３ａ´の画線構成となっている。図５（ｂ）に示された凹版画線は、凹版画線に微小文字を従来どおりの方法（図１で示された方法）で入れたものを示している。図５（ｂ）に示された基材１´上に印刷模様２´の少なくとも一部に複数の画線３ｃ´から成る画線群３ｃ´、複数の微小文字３ｂ１´から成る微小文字群３ｂ１´、複数の画線３ｂ２´から成る画線群３ｂ２´及び複数の画線３ａ´から成る画線群３ａ´は、任意の角度Ａ１´と異なる角度に配置された画線群３ｃ´と、９０度の角度Ａ２´と同角に配置された微小文字群３ｂ１´が上下交互に配置されている約右半分の部分と、任意の角度Ａ１´と異なる角度に配置された画線群３ｃ´と、任意の角度Ａ１´と同角に配置された画線群３ｂ２´が上下交互に配置されている約左半分の部分の両方が配置され、任意の角度Ａ１´と同角に画線群３ａ´が配置されている。
【００３１】
すなわち、図３（ｂ）に示された画線群３ｂ２´の一部を微小文字群３ｂ１´に置き換えたことが示されている。微小文字群３ｂ１´が成しているそれぞれの９０度の角度Ａ２´と、画線群３ｂ２´が成しているそれぞれの任意の角度Ａ１´は、異なる角度にさせている。それぞれの９０度の角度Ａ２´とそれぞれの任意の角度Ａ１´を異なる角度にさせることにより、微小文字を成している微小文字群３ｂ１´と、画線を成している画線群３ｂ２´は、違和感があり馴染んでいないように視認される。また、微小文字群３ｂ１´が成しているそれぞれの面積と、画線群３ｂ２´が成しているそれぞれの面積は、同等にさせている。それぞれの面積を同等にさせることにより、微小文字を成している微小文字群３ｂ１´と、画線を成している画線群３ｂ２´は、同等の濃度に視認され、微小文字が文字として視認し難くなる。
【００３２】
また、画線群３ｃ´、微小文字群３ｂ１´、画線群３ｂ２´及び画線群３ａ´の画線幅については、特に限定されるものではないが、画線群３ｃ´、微小文字群３ｂ１´、画線群３ｂ２´及び画線群３ａ´が交わらない画線幅が好ましい。さらに、画線群３ａ´の画線幅は、画線群３ｃ´よりも小さく（細く）及び／又は画線群３ｃ´と同等にさせている。微小文字群３ｂ１´と画線群３ｂ２´の画線の長さについても、特に限定されるものではないが、画線群３ｃ´と微小文字群３ｂ１´が交わらず、画線群３ｃ´と画線群３ｂ２´が交わらない画線の長さが好ましい。画線群３ｃ´、微小文字群３ｂ１´、画線群３ｂ２´及び画線群３ａ´のピッチについては、画線面積率に応じて所定のピッチで規則的に配置されている。すなわち、微小文字群３ｂ１´と画線群３ｂ２´の面積は同等のため、濃度は同等に視認され、微小文字が文字として視認し難くなり、微小文字群３ｂ１´と画線群３ｂ２´の角度が異なるため、違和感があり馴染んでいないように視認される。
【００３３】
図２から図５までに示された凹版画線については、基本的な構成であり、本実施例では、図２（ａ）、図３（ａ）、図４（ａ）及び図５（ａ）に示された画線群３ａ´は、任意の角度Ａ１´と同角に配置されていると示されているが、画線群３ｂ２´と交わらず、また、重ならなければ、任意の角度Ａ１´と同角を限定するものではない。また、本実施例では、図３（ｂ）及び図５（ｂ）に示された画線群３ａ´は、任意の角度Ａ１´と同角に配置されていると示されているが、画線群３ｂ２´と交わらず、また、重ならなければ、任意の角度Ａ１´と同角を限定するものではない。さらに、本実施例では、図２から図５までに示された画線が右斜めの任意の角度Ａ１´で示されているが、角度さえ成せば、左斜めなどのように角度を限定するものではない。これら基本的な凹版画線の構成については、本発明を理解する上で重要なものである。
【００３４】
図２から図５までに示された凹版画線の微小文字、画線幅及びピッチについては、微小文字が１００μｍ〜１,０００μｍの範囲が好ましく、また、画線幅は２０μｍ〜１００μｍの範囲が好ましく、さらに、ピッチについては、１５０μｍ〜５００μｍの範囲が好ましい。
【００３５】
図２から図５までに示された凹版画線の階調は、階調が無い状態で表現されているが、画線群３ａ´と画線群３ｃ´の画線を点や破線の長さを変化させることにより、階調を示させることもできる。
【先行技術文献】
【特許文献】
【００３６】
【特許文献１】特許第３３９２８９２号公報
【特許文献２】特開平０９−３００８６９号公報
【特許文献３】特開２００６−１２３４１３号報
【特許文献４】特許第４６８２２８２号報
【発明の概要】
【発明が解決しようとする課題】
【００３７】
微小文字については、画線と文字の形態の差から、その存在自体を完全に認識できないものではなく、画線のように見えるという程度であり、主たる目的は複写防止である。したがって、一旦微小文字の存在が明確化してしまうと、近年の画像処理技術等により、偽造・変造防止策としては、以前と比較すると効果は薄れてきている状況でもある。
【００３８】
図１に示されたように垂直や水平のように任意の角度を示さない彩紋の一部に微小文字を馴染ませた場合は、彩紋と微小文字とが違和感がなく馴染み問題はないが、図２及び図３に示されたように任意の角度を示す凹版画線の一部に従来どおりの方法（図１で示された方法）で、微小文字を馴染ませようとした場合、図４及び図５に示されたように任意の角度を示す凹版画線と垂直を示す微小文字は、凹版画線が角度を成し、微小文字が角度を成さない垂直な配置のため、違和感があり、凹版画線と微小文字が馴染まない課題があった。
【００３９】
以上のことから、本発明は、前述した問題点を解決することを目的としたものであり、線画によって表現された模様の一部に微小文字を備えた印刷物を提供するものである。
【課題を解決するための手段】
【００４０】
本発明の微小文字を備えた印刷物は、基材上に、印刷模様を有し、印刷模様の少なくとも一部に複数の第１の画線から成る第１の画線群と、複数の微小文字から成る微小文字群を有する微小文字を備えた印刷物において、第１の画線群は、第１の画線が基材の垂直方向又は水平方向に対して、あるいは、印刷模様の垂直方向又は水平方向に対して、ほぼ４０〜８５度又はほぼ９５〜１４０度の第１の方向に沿って、第１のピッチで複数配置して形成され、微小文字群は、微小文字が斜体文字であり、かつ、第１の方向と同一方向に複数配置して形成される第１の微小文字群が第１のピッチと同一ピッチで複数配置されることを特徴とする。
【００４１】
また、本発明の微小文字を備えた印刷物は、第１の画線が実線及び／又は分断線であることを特徴とする。
【００４２】
また、本発明の微小文字を備えた印刷物は、第１の画線の間、第１の微小文字群と第１の微小文字群の間、第１の画線と第１の微小文字群の間に、第２の画線が第１の方向と同一方向に、第１のピッチと同一ピッチで複数配置されることを特徴とする。
【００４３】
また、本発明の微小文字を備えた印刷物は、第１の微小文字群の間に、第３の画線が基材の垂直方向又は水平方向に対して、あるいは、印刷模様の垂直方向又は水平方向に対して、０度の第２の方向に沿って、第２のピッチで複数配置されることを特徴とする。
【００４４】
また、本発明の微小文字を備えた印刷物は、第２の画線と第３の画線は、交差する又は交差しないことを特徴とする。
【００４５】
また、本発明の微小文字を備えた印刷物は、第１の画線及び第２の画線の少なくとも一方が第１の微小文字群の一部に重なっていることを特徴とする。
【００４６】
また、本発明の微小文字を備えた印刷物は、第１の画線と第１の微小文字群が交互に配列されていることを特徴とする。
【００４７】
また、本発明の微小文字を備えた印刷物は、第１の画線、第２の画線及び第３の画線の画線幅は、全てが同一又は少なくとも一種類の画線が異なることを特徴とする。
【００４８】
また、本発明の微小文字を備えた印刷物は、第１のピッチは、１５０μｍ〜５００μｍの範囲であり、第２のピッチは、１５０μｍ〜５００μｍの範囲であることを特徴とする。
【００４９】
また、本発明の微小文字を備えた印刷物は、第１の画線、第２の画線及び第３の画線の画線の少なくとも一種類の画線は、画線の一部の太さを異ならせ、印刷模様の少なくとも一部に階調を施したことを特徴とする。
【００５０】
また、本発明の微小文字を備えた印刷物は、第１の画線、第２の画線及び第３の画線の画線は、直線又は曲線であることを特徴とする。
【発明の効果】
【００５１】
本発明の微小文字を備えた印刷物は、画線の構成の中で文字を単独又は文字群でランダムに施すことが可能で、かつ画線の面積と文字の面積を同じにさせ形成させているために文字が画線として視認されることから、その存在自体を確認することが非常に困難であり、偽造防止技術自体が施されていることにも気づかれず、偽造防止効果が高く、特に鑑定要素としての効果がある。
【００５２】
また、本発明の微小文字を備えた印刷物は、凹版画線の一部に微小文字を違和感なく馴染ませるため、凹版画線の成す任意の角度と微小文字の成す任意の角度を同角にさせることにより、凹版画線と微小文字が違和感なく馴染み、微小文字の存在自体を確認することが非常に困難になり、偽造防止技術自体が施されていることにも気づかれず、偽造防止効果が高く、特に鑑定要素としての効果と、また、微小文字をルーペ等（拡大鏡）で拡大されたときに、初めて文字として視認されることから、メッセージ性の効果もある。
【図面の簡単な説明】
【００５３】
【図１】彩紋の一部に微小文字を馴染ませた時の画線構成が示された説明図。
【図２】基本的な凹版画線の画線構成が示された説明図。
【図３】基本的な凹版画線に模様の相対的な濃度を上げるための画線を加えた画線構成が示された説明図。
【図４】基本的な凹版画線の一部に微小文字が馴染まない時の画線構成が示された説明図。
【図５】基本的な凹版画線に模様の相対的な濃度を上げるための画線を加えた画線の一部に微小文字が馴染まない時の画線構成が示された説明図。
【図６】基材と印刷模様に対しての垂直方向と水平方向の関係性が示された説明図。
【図７】基本的な凹版画線の一部に微小文字を馴染ませた時の画線構成が示された説明図。
【図８】基本的な凹版画線に模様の相対的な濃度を上げるための画線を加えた画線の一部に微小文字を馴染ませた時の画線構成が示された説明図。
【図９】微小文字の文字構成が示された説明図。
【図１０】微小文字のバリエーションが示された説明図。
【図１１】微小文字のバリエーションが示された説明図。
【図１２】本発明の画線構成と従来技術の画線構成の比較が示された説明図。
【図１３】本発明の画線構成と従来技術の画線構成の比較が示された説明図。
【図１４】本発明の画線構成のバリエーションが示された説明図。
【図１５】本発明の画線構成のバリエーションが示された説明図。
【図１６】本発明の画線構成のバリエーションが示された説明図。
【図１７】本発明の画線構成のバリエーションが示された説明図。
【図１８】本発明の画線構成のバリエーションが示された説明図。
【図１９】本発明の画線構成のバリエーションが示された説明図。
【図２０】本発明の画線構成のバリエーションを示された説明図。
【発明を実施するための最良の形態】
【００５４】
（実施の形態１）
図６は、基材１と印刷模様２に対しての垂直方向Ｙ１、Ｙ２と水平方向Ｘ１、Ｘ２の関係性が示されている。図６（ａ）に示されたように基材１上に、印刷模様２を有し、印刷模様２の少なくとも一部に複数の第１の画線３ｂ２から成る第１の画線群３ｂ２と、複数の微小文字から成る微小文字群３ｂ１を有する微小文字を備えた印刷物において、第１の画線群３ｂ２は、第１の画線３ｂ２が基材１の垂直方向Ｙ１又は水平方向Ｘ１に対して、ほぼ４０〜８５度又はほぼ９５〜１４０度の第１の方向に沿って、第１のピッチで複数配置して形成され、微小文字群３ｂ１は、微小文字が斜体文字であり、かつ、第１の方向と同一方向に複数配置して形成される第１の微小文字群３ｂ１が第１のピッチと同一ピッチで複数配置され、第１の画線３ｂ２の間、第１の微小文字群３ｂ１と第１の微小文字群３ｂ１の間、第１の画線３ｂ２と第１の微小文字群３ｂ１の間に、第２の画線３ａが第１の方向と同一方向に、第１のピッチと同一ピッチで複数配置されることを特徴とする微小文字を備えた印刷物である。
【００５５】
図６（ｂ）に示されたように基材１上に、印刷模様２を有し、印刷模様２の少なくとも一部に複数の第１の画線３ｂ２から成る第１の画線群３ｂ２と、複数の微小文字から成る微小文字群３ｂ１を有する微小文字を備えた印刷物において、第１の画線群３ｂ２は、第１の画線３ｂ２が印刷模様２の垂直方向Ｙ２又は水平方向Ｘ２に対して、ほぼ４０〜８５度又はほぼ９５〜１４０度の第１の方向に沿って、第１のピッチで複数配置して形成され、微小文字群３ｂ１は、微小文字が斜体文字であり、かつ、第１の方向と同一方向に複数配置して形成される第１の微小文字群３ｂ１が第１のピッチと同一ピッチで複数配置され、第１の画線３ｂ２の間、第１の微小文字群３ｂ１と第１の微小文字群３ｂ１の間、第１の画線３ｂ２と第１の微小文字群３ｂ１の間に、第２の画線３ａが第１の方向と同一方向に、第１のピッチと同一ピッチで複数配置されることを特徴とする微小文字を備えた印刷物である。
【００５６】
また、図６（ａ）及び図６（ｂ）に示された任意の角度Ａ１は、基材１の垂直方向Ｙ１又は水平方向Ｘ１に対して、あるいは、印刷模様２の垂直方向Ｙ２又は水平方向Ｘ２に対して、ほぼ４０〜８５度又はほぼ９５〜１４０度の範囲で示されている。また、角度Ａ２は、９０度が示されている。さらに、図７以降の図の説明については、全て図６（ａ）及び図６（ｂ）で説明された基材１と印刷模様２に対しての垂直方向Ｙ１、Ｙ２と水平方向Ｘ１、Ｘ２の関係性についてのことが適応されるが、本実施例では基材１の垂直方向Ｙ１又は水平方向Ｘ１に対してのことが示されている。
【００５７】
図７（ａ）に示された凹版画線は、図２（ａ）に示された凹版画線の一部に微小文字を違和感なく馴染ませた凹版画線が示されている。図７（ａ）に示された基材１上に印刷模様２の少なくとも一部に複数の画線３ａから成る画線群３ａ、複数の微小文字３ｂ１から成る微小文字群３ｂ１及び複数の画線３ｂ２から成る画線群３ｂ２は、任意の角度Ａ１と同角に配置された画線群３ａと、任意の角度Ａ１と同角に配置された微小文字群３ｂ１が左右交互に配置されている約右半分の部分と、任意の角度Ａ１と同角に配置された画線群３ａと、任意の角度Ａ１と同角に配置された画線群３ｂ２が左右交互に配置されている約左半分の部分の両方が配置されている。
【００５８】
すなわち、図２（ａ）に示された画線群３ｂ２´の一部を微小文字群３ｂ１に置き換えたことが示されている。微小文字群３ｂ１が成しているそれぞれの任意の角度Ａ１と、画線群３ｂ２が成しているそれぞれの任意の角度Ａ１は、同角にさせている。それぞれの任意の角度Ａ１を同角にさせることにより、微小文字を成している微小文字群３ｂ１と、画線を成している画線群３ｂ２は、違和感なく馴染んでいるように視認される。また、微小文字群３ｂ１が成しているそれぞれの面積と、画線群３ｂ２が成しているそれぞれの面積は、同等にさせている。それぞれの面積を同等にさせることにより、微小文字を成している微小文字群３ｂ１と、画線を成している画線群３ｂ２は、同等の濃度に視認され、微小文字が文字として視認し難くなる。
【００５９】
さらに、画線群３ａ、微小文字群３ｂ１及び画線群３ｂ２の画線幅については、特に限定されるものではないが、画線群３ａ、微小文字群３ｂ１及び画線群３ｂ２が交わらない画線幅が好ましい。微小文字群３ｂ１と画線群３ｂ２の画線の長さについても、特に限定されるものではないが、微小文字群３ｂ１同士が交わらず、画線群３ｂ２同士が交わらない画線の長さが好ましい。画線群３ａ、微小文字群３ｂ１及び画線群３ｂ２のピッチについては、画線面積率に応じて所定のピッチで規則的に配置されている。すなわち、微小文字群３ｂ１と画線群３ｂ２の面積は同等のため、濃度は同等に視認され、微小文字が文字として視認し難くなり、微小文字群３ｂ１と画線群３ｂ２の角度が同角のため、違和感なく馴染んでいるように視認され、図２（ａ）に示された凹版画線の一部に微小文字を違和感なく馴染ませることができている。また、図７（ａ）に示された凹版画線と図４（ａ）に示された凹版画線を比較すれば一目瞭然であるが、図２（ａ）に示された凹版画線の一部に微小文字を違和感なく馴染ませているのは、図７（ａ）に示された凹版画線である。
【００６０】
「違和感なく馴染んでいる」とは、人間は、普段の生活圏の中で部屋の天井などの水平や、部屋の柱などの垂直を常に意識せず認知しているため、水平線や垂直線に対しての認知度は低く、意識せず無視しがちである。反対に、普段の生活圏の中で希少な斜線である、例えば、ピサの斜塔等については、不安定さや珍しさ、注意喚起から認知度は高く、意識して無視できない目立つ物として認知している。本発明は、凹版画線のような任意な角度（斜線）を持った画線の一部に微小文字を違和感なく馴染ませるものであり、認知度が高い斜線を持つ物と人間の認知度が低い垂直線を持つ物がある場合は、認知度が高い斜線が目立つことから斜線と隣接する同角な斜線を持つ物と、斜線と隣接する異なる角度の垂直線を持つ物を比較すると、斜線と同角である斜線を持つ物は、斜線と溶け合って方向性があり違和感なく馴染んでいると視認される。
【００６１】
図７（ｂ）に示された凹版画線は、図２（ｂ）に示された凹版画線の一部に微小文字を違和感なく馴染ませた凹版画線が示されている。図７（ｂ）に示された基材１上に印刷模様２の少なくとも一部に複数の画線３ｃから成る画線群３ｃ、複数の微小文字３ｂ１から成る微小文字群３ｂ１及び複数の画線３ｂ２から成る画線群３ｂ２は、任意の角度Ａ１と異なる角度に配置された画線群３ｃと、任意の角度Ａ１と同角に配置された微小文字群３ｂ１が上下交互に配置されている約右半分の部分と、任意の角度Ａ１と異なる角度に配置された画線群３ｃと、任意の角度Ａ１と同角に配置された画線群３ｂ２が上下交互に配置されている約左半分の部分の両方が配置されている。
【００６２】
すなわち、図２（ｂ）に示された画線群３ｂ２´の一部を微小文字群３ｂ１に置き換えたことが示されている。微小文字群３ｂ１が成しているそれぞれの任意の角度Ａ１と、画線群３ｂ２が成しているそれぞれの任意の角度Ａ１は、同角にさせている。それぞれの任意の角度Ａ１を同角にさせることにより、微小文字を成している微小文字群３ｂ１と、画線を成している画線群３ｂ２は、違和感なく馴染んでいるように視認される。また、微小文字群３ｂ１が成しているそれぞれの面積と、画線群３ｂ２が成しているそれぞれの面積は、同等にさせている。それぞれの面積を同等にさせることにより、微小文字を成している微小文字群３ｂ１と、画線を成している画線群３ｂ２は、同等の濃度に視認され、微小文字が文字として視認し難くなる。
【００６３】
さらに、画線群３ｃ、微小文字群３ｂ１及び画線群３ｂ２の画線幅については、特に限定されるものではないが、画線群３ｃ、微小文字群３ｂ１及び画線群３ｂ２が交わらない画線幅が好ましい。微小文字群３ｂ１と画線群３ｂ２の画線の長さについても、特に限定されるものではないが、画線群３ｃと微小文字群３ｂ１が交わらず、画線群３ｃと画線群３ｂ２が交わらない画線の長さが好ましい。画線群３ｃ、微小文字群３ｂ１及び画線群３ｂ２のピッチについては、画線面積率に応じて所定のピッチで規則的に配置されている。すなわち、微小文字群３ｂ１と画線群３ｂ２の面積は同等のため、濃度は同等に視認され、微小文字が文字として視認し難くなり、微小文字群３ｂ１と画線群３ｂ２の角度が同角のため、違和感なく馴染んでいるように視認され、図２（ｂ）に示された凹版画線の一部に微小文字を違和感なく馴染ませることができている。また、図７（ｂ）に示された凹版画線と図４（ｂ）に示された凹版画線を比較すれば一目瞭然であるが、図２（ｂ）に示された凹版画線の一部に微小文字を違和感なく馴染ませているのは、図７（ｂ）に示された凹版画線である。
【００６４】
図８（ａ）に示された凹版画線は、図７（ａ）に示された凹版画線に印刷模様２の相対的な濃度を上げるために加えた画線群３ｃの画線構成となっている。図８（ａ）に示された凹版画線は、図３（ａ）に示された凹版画線の一部に微小文字を違和感なく馴染ませた凹版画線が示されている。図８（ａ）に示された基材１上に印刷模様２の少なくとも一部に複数の画線３ａから成る画線群３ａ、複数の微小文字３ｂ１から成る微小文字群３ｂ１、複数の画線３ｂ２から成る画線群３ｂ２及び複数の画線３ｃから成る画線群３ｃは、任意の角度Ａ１と同角に配置された画線群３ａと、任意の角度Ａ１と同角に配置された微小文字群３ｂ１が左右交互に配置されている約右半分の部分と、任意の角度Ａ１と同角に配置された画線群３ａと、任意の角度Ａ１と同角に配置された画線群３ｂ２が左右交互に配置されている約左半分の部分の両方が配置され、任意の角度Ａ１と異なる角度に画線群３ｃが配置されている。
【００６５】
すなわち、図３（ａ）に示された画線群３ｂ２´の一部を微小文字群３ｂ１に置き換えたことが示されている。微小文字群３ｂ１が成しているそれぞれの任意の角度Ａ１と、画線群３ｂ２が成しているそれぞれの任意の角度Ａ１は、同角にさせている。それぞれの任意の角度Ａ１を同角にさせることにより、微小文字を成している微小文字群３ｂ１と、画線を成している画線群３ｂ２は、違和感なく馴染んでいるように視認される。また、微小文字群３ｂ１が成しているそれぞれの面積と、画線群３ｂ２が成しているそれぞれの面積は、同等にさせている。それぞれの面積を同等にさせることにより、微小文字を成している微小文字群３ｂ１と、画線を成している画線群３ｂ２は、同等の濃度に視認され、微小文字が文字として視認し難くなる。
【００６６】
また、画線群３ａ、微小文字群３ｂ１、画線群３ｂ２及び画線群３ｃの画線幅については、特に限定されるものではないが、画線群３ａ、微小文字群３ｂ１、画線群３ｂ２及び画線群３ｃが交わらない画線幅が好ましい。さらに、画線群３ｃの画線幅は、画線群３ａよりも小さく（細く）及び／又は画線群３ａと同等にさせている。微小文字群３ｂ１と画線群３ｂ２の画線の長さについても、特に限定されるものではないが、微小文字群３ｂ１と画線群３ｃが交わらず、画線群３ｂ２と画線群３ｃが交わらない画線の長さが好ましい。画線群３ａ、微小文字群３ｂ１、画線群３ｂ２及び画線群３ｃのピッチについては、画線面積率に応じて所定のピッチで規則的に配置されている。すなわち、微小文字群３ｂ１と画線群３ｂ２の面積は同等のため、濃度は同等に視認され、微小文字が文字として視認し難くなり、微小文字群３ｂ１と画線群３ｂ２の角度が同角のため、違和感なく馴染んでいるように視認され、図３（ａ）に示された凹版画線の一部に微小文字を違和感なく馴染ませることができている。また、図８（ａ）に示された凹版画線と図５（ａ）に示された凹版画線を比較すれば一目瞭然であるが、図３（ａ）に示された凹版画線の一部に微小文字を違和感なく馴染ませているのは、図８（ａ）に示された凹版画線である。
【００６７】
図８（ｂ）に示された凹版画線は、図７（ｂ）に示された凹版画線に印刷模様２の相対的な濃度を上げるために加えた画線群３ａの画線構成となっている。図８（ｂ）に示された凹版画線は、図３（ｂ）に示された凹版画線の一部に微小文字を違和感なく馴染ませた凹版画線が示されている。図８（ｂ）に示された基材１上に印刷模様２の少なくとも一部に複数の画線３ｃから成る画線群３ｃ、複数の微小文字３ｂ１から成る微小文字群３ｂ１、複数の画線３ｂ２から成る画線群３ｂ２及び複数の画線３ａから成る画線群３ａは、任意の角度Ａ１と異なる角度に配置された画線群３ｃと、任意の角度Ａ１と同角に配置された微小文字群３ｂ１が上下交互に配置されている約右半分の部分と、任意の角度Ａ１と異なる角度に配置された画線群３ｃと、任意の角度Ａ１と同角に配置された画線群３ｂ２が上下交互に配置されている約左半分の部分の両方が配置され、任意の角度Ａ１と同角に画線群３ａが配置されている。
【００６８】
すなわち、図３（ｂ）に示された画線群３ｂ２´の一部を微小文字群３ｂ１に置き換えたことが示されている。微小文字群３ｂ１が成しているそれぞれの任意の角度Ａ１と、画線群３ｂ２が成しているそれぞれの任意の角度Ａ１は、同角にさせている。それぞれの任意の角度Ａ１を同角にさせることにより、微小文字を成している微小文字群３ｂ１と、画線を成している画線群３ｂ２は、違和感なく馴染んでいるように視認される。また、微小文字群３ｂ１が成しているそれぞれの面積と、画線群３ｂ２が成しているそれぞれの面積は、同等にさせている。それぞれの面積を同等にさせることにより、微小文字を成している微小文字群３ｂ１と、画線を成している画線群３ｂ２は、同等の濃度に視認され、微小文字が文字として視認し難くなる。
【００６９】
また、画線群３ｃ、微小文字群３ｂ１、画線群３ｂ２及び画線群３ａの画線幅については、特に限定されるものではないが、画線群３ｃ、微小文字群３ｂ１、画線群３ｂ２及び画線群３ａが交わらない画線幅が好ましい。さらに、画線群３ａの画線幅は、画線群３ｃよりも小さく（細く）及び／又は画線群３ｃと同等にさせている。微小文字群３ｂ１と画線群３ｂ２の画線の長さについても、特に限定されるものではないが、画線群３ｃと微小文字群３ｂ１が交わらず、画線群３ｃと画線群３ｂ２が交わらない画線の長さが好ましい。画線群３ｃ、微小文字群３ｂ１、画線群３ｂ２及び画線群３ａのピッチについては、画線面積率に応じて所定のピッチで規則的に配置されている。すなわち、微小文字群３ｂ１と画線群３ｂ２の面積は同等のため、濃度は同等に視認され、微小文字が文字として視認し難くなり、微小文字群３ｂ１と画線群３ｂ２の角度が同角のため、違和感なく馴染んでいるように視認され、図３（ｂ）に示された凹版画線の一部に微小文字を違和感なく馴染ませることができている。また、図８（ｂ）に示された凹版画線と図５（ｂ）に示された凹版画線を比較すれば一目瞭然であるが、図３（ｂ）に示された凹版画線の一部に微小文字を違和感なく馴染ませているのは、図８（ｂ）に示された凹版画線である。
【００７０】
図７及び図８に示された凹版画線については、基本的な構成であり、本実施例では、図７（ａ）及び図８（ａ）に示された画線群３ａは、任意の角度Ａ１と同角に配置されていると示されているが、微小文字群３ｂ１と画線群３ｂ２が交わらず、また、重ならなければ、任意の角度Ａ１と同角を限定するものではない。また、本実施例では、図８（ｂ）に示された画線群３ａは、任意の角度Ａ１と同角に配置されていると示されているが、微小文字群３ｂ１と画線群３ｂ２が交わらず、また、重ならなければ、任意の角度Ａ１と同角を限定するものではない。さらに、本実施例では、図７及び図８に示された画線が右斜めの任意の角度Ａ１で示されているが、角度さえ成せば、左斜めなどのように角度を限定するものではない。これら基本的な凹版画線の構成については、本発明を理解する上で重要なものである。
【００７１】
図７及び図８に示された凹版画線の微小文字、画線幅及びピッチについては、微小文字が１００μｍ〜１,０００μｍの範囲が好ましく、また、画線幅は２０μｍ〜１００μｍの範囲が好ましく、さらに、ピッチについては１５０μｍ〜５００μｍの範囲が好ましい。
【００７２】
図７及び図８に示された凹版画線の階調は、階調が無い状態で表現されているが、画線群３ａと画線群３ｃの画線を点や破線の長さを変化させたり、画線幅を変化させることにより、階調を示させることもできる。
【００７３】
本実施例では、微小文字群３ｂ１がアルファベットで示されているが、文字、数字、記号等、特に限定されるものではない。
【００７４】
本発明の実施形態１は、凹版画線として示されているが、画線構成と文字構成が成されていれば、凹版印刷、オフセット印刷、スクリーン印刷及びプリンタなどのように印刷方式、出力方法は特に限定されるものではない。
【００７５】
図９は、微小文字の文字構成が示されている。図９（ａ）〜（ｄ）は、本発明の文字構成が示され、図９（ｅ）〜（ｈ）は、従来の文字構成が示されている。図９（ａ）〜（ｈ）に示されたボディサイズ４ａ、４ａ´は、幅Ｗ１、Ｗ１´を中心とする縦横の幅Ｗ２、Ｗ２´の正方形から成り、字面（じづら）４ｂ、４ｂ´は、ボディサイズ４ａ、４ａ´の中心に有する正方形から成る文字構成となっている。また、ボディサイズ４ａ、４ａ´が微小文字のサイズ（指定する文字の大きさ）であり、実際の微小文字の大きさである字面（じづら）４ｂ、４ｂ´は、ボディサイズ４ａ、４ａ´より小さくなっている。その小さくなっている字面（じづら）４ｂ、４ｂ´の正方形とボディサイズ４ａ、４ａ´の正方形との大きさの差は、微小文字の形状の種類により異なり一定ではない。
【００７６】
本発明の文字構成でアルファベットの文章（若しくは単語）を直接入力する場合に注意しなければならない点は、図９（ａ）〜（ｄ）に示されたように、微小文字「Ｂ」、「Ｆ」、「Ｍ」、「Ｎ」が斜体文字になるとボディサイズ４ａから微小文字「Ｂ」、「Ｆ」、「Ｍ」、「Ｎ」がはみ出してしまうので、字間を設定するときには、注意が必要である。もし、直接入力で字間の設定がない場合は、微小文字と微小文字が重なるため、十分に字間を設定し微小文字と微小文字の間を空ける必要がある。しかし、従来の文字構成でアルファベットの文章（若しくは単語）を打つ場合は、図９（ｅ）〜（ｈ）に示されたように、微小文字「Ｂ」、「Ｆ」、「Ｍ」、「Ｎ」が正体文字なのでボディサイズ４ａ´に納まり、直接入力で字間の設定がない場合でも微小文字と微小文字が重ならず字間を空けることができる。これは、ボディサイズ４ａ´と字面（じづら）４ｂ´の正方形の大きさの違いから隙間ができ、字間の代わりになる。
【００７７】
微小文字の文字構成について、詳細な説明をする。図９（ａ）〜（ｄ）に示された斜体文字の文字構成と、図１０（ｂ）、図１０（ｃ）、図１１（ｄ）及び図１１（ｅ）に示されたアルファベット「Ａ」〜「Ｚ」に示された斜体文字の文字構成は全て文字構成が一緒である。また、図９（ｅ）〜（ｈ）に示された正体文字の文字構成と、図１０（ａ）に示されたアルファベット「Ａ」〜「Ｚ」に示された正体文字の文字構成は全て文字構成が一緒である。アルファベットの代表として、特徴のある文字「Ｂ」、「Ｆ」、「Ｍ」、「Ｎ」を図９で示されているが、さらに、図９（ａ）及び図９（ｅ）について説明する。
【００７８】
図９（ａ）に示されたボディサイズ４ａの中心を成す任意の角度Ａ１と、文字の傾き（斜体文字）が分かる、基軸辺を成す任意の角度Ａ３は、同角を成している。図７（ａ）で説明されたように、微小文字群３ｂ１と画線群３ｂ２の角度が任意の角度Ａ１と同角のため、違和感なく馴染んでいるように視認され、図２（ａ）に示された凹版画線の一部に微小文字を違和感なく馴染ませることについて説明する。
【００７９】
すわなち、微小文字群３ｂ１が成す任意の角度Ａ１と、ボディサイズ４ａの中心を成す任意の角度Ａ１と、文字の傾き（斜体文字）が分かる、基軸辺を成す任意の角度Ａ３は、角度が同角であることが示され、微小文字群３ｂ１が成す任意の角度Ａ１の角度が変更されると、ボディサイズ４ａの中心を成す任意の角度Ａ１の角度も変更され、さらに、文字の傾き（斜体文字）が分かる、基軸辺を成す任意の角度Ａ３も角度が変更される。文字の傾き（斜体文字）が分かる、基軸辺を成す任意の角度Ａ３の角度が変更されるということは、文字自体の傾きも変わることになる。これにより、凹版画線の一部に微小文字を違和感なく馴染ませることができる。
【００８０】
図９（ｅ）に示されたボディサイズ４ａ´の中心を成す９０度の角度Ａ２´と、文字の傾き（斜体文字）が分かる、基軸辺を成す９０度の角度Ａ４´は、同角を成している。図４（ａ）で説明されたように、微小文字群３ｂ１´が成す９０度の角度Ａ２´と画線群３ｂ２´が成す任意の角度Ａ１´の角度が異なるため、違和感があり馴染んでいないように視認される。図７（ａ）に示された凹版画線と図４（ａ）に示された凹版画線を比較すれば一目瞭然であるが、図２（ａ）に示された凹版画線の一部に微小文字を違和感なく馴染ませているのは、図７（ａ）に示された凹版画線である。
【００８１】
すわなち、微小文字群３ｂ１´が成す９０度の角度Ａ２´と、ボディサイズ４ａ´の中心を成す９０度の角度Ａ２´と、文字の傾き（斜体文字）が分かる、基軸辺を成す９０度の角度Ａ４´は、角度が同角であることが示されている。従来の文字構成でボディサイズ４ａ´の中心を成す９０度の角度Ａ２´は、正体文字が示されているので、９０度の角度は変更されることはない。また、文字の傾き（斜体文字）が分かる、基軸辺を成す９０度の角度Ａ４´の角度も変更されることはない。凹版画線の一部に微小文字を違和感なく馴染ませるために、本発明の文字構成が成り立っている。
【００８２】
図１０及び図１１は、微小文字のバリエーションが示されている。図１０（ａ）に示された微小文字は、図４及び図５に示された微小文字群３ｂ１´の文字と同等であり、正体文字のアルファベット「Ａ」〜「Ｚ」が示されている。図１０（ｂ）に示された微小文字は、図７及び図８に示された微小文字群３ｂ１の文字と同等であり、斜体文字のアルファベット「Ａ」〜「Ｚ」が示されている。図１０（ｃ）に示された微小文字は、図１０（ｂ）に示された微小文字を更に斜体文字にしたアルファベット「Ａ」〜「Ｚ」が示されている。
【００８３】
図１１（ｄ）に示された微小文字は、図１０（ｂ）に示された微小文字の逆斜体文字にしたアルファベット「Ａ」〜「Ｚ」が示されている。図１１（ｅ）に示された微小文字は、図１０（ｃ）に示された微小文字の逆斜体文字にしたアルファベット「Ａ」〜「Ｚ」が示されている。図９（ａ）〜（ｄ）に示された斜体文字の文字構成は、図１０（ｂ）、図１０（ｃ）、図１１（ｄ）及び図１１（ｅ）に示された斜体文字の文字構成と同等である。図９（ｅ）〜（ｈ）に示された斜体文字の文字構成は、図１０（ａ）に示された斜体文字の文字構成と同等である。図１１（ｄ）及び図１１（ｅ）に示された斜体文字の文字構成を使用する場合は、図７及び図８に示された凹版画線の画線が右斜めの任意の角度Ａ１で示されているものを逆の左斜めの任意の角度Ａ１に示される凹版画線の一部に微小文字を違和感なく馴染ませるときに使用するものである。
【００８４】
図１０（ｂ）、図１０（ｃ）、図１１（ｄ）及び図１１（ｅ）に示された文字は、一例で、斜体文字の角度は、任意に変更させることができる。その変更させる範囲は、９０度以外とされたいところであるが、あまり斜体文字の傾斜が強くなると微小文字として認識することが困難になるので、ほぼ４０度〜８５度又はほぼ９５度〜１４０度が好ましい。また、反転の文字や上下が反対の文字もその変更範囲である。ほぼ４０度〜８５度は、図１０（ｂ）及び図１０（ｃ）の範囲内であり、ほぼ９５度〜１４０度は、図１１（ｄ）及び図１１（ｅ）の範囲内である。また、微小文字の大きさは、１００μｍ〜１,０００μｍの範囲が好ましい。
【００８５】
図１２は、本発明の画線構成と従来技術の画線構成の比較が示されたものである。図１２（ａ）は、図７（ａ）の構成を分かりやすくするために画線の一部を変更（約右半分の部分と約左半分の部分を合成）し、拡大したものである。図１２（ｂ）は、図４（ａ）の構成を分かりやすくするために画線の一部を変更（約右半分の部分と約左半分の部分を合成）し、拡大したものである。図１２（ａ）に示された本発明の画線構成である画線群３ａ、微小文字群３ｂ１及び画線群３ｂ２は、任意の角度Ａ１と同角に配置された画線群３ａと、任意の角度Ａ１と同角に配置された微小文字群３ｂ１の「Ｆ」と、任意の角度Ａ１と同角に配置された微小文字群３ｂ１の「Ｎ」が、右側から画線群３ａ、微小文字群３ｂ１の「Ｆ」、画線群３ａ、微小文字群３ｂ１の「Ｎ」、画線群３ａの順に配置され、画線群３ａに挟まれた微小文字群３ｂ１の「Ｆ」と微小文字群３ｂ１の「Ｎ」は、画線群３ａと画線群３ａの斜め中心に配置され、任意の角度Ａ１と同角に配置された画線群３ｂ２は、微小文字群３ｂ１の「Ｆ」の字面（じづら）４ｂの斜め中心と、画線群３ｂ２の斜め中心が合うように画線群３ｂ２が微小文字群３ｂ１の「Ｆ」を上下に挟むように配置され、微小文字群３ｂ１の「Ｎ」の字面（じづら）４ｂの斜め中心と、画線群３ｂ２の斜め中心が合うように画線群３ｂ２が微小文字群３ｂ１の「Ｎ」を上下に挟むように配置されている。微小文字群３ｂ１の字面（じづら）４ｂの中心を成すそれぞれの任意の角度Ａ１と、画線群３ｂ２の中心を成すそれぞれの任意の角度Ａ１は、同角にさせている。それぞれの任意の角度Ａ１を同角にさせることにより、微小文字を成している微小文字群３ｂ１と、画線を成している画線群３ｂ２は、違和感なく馴染んでいるように視認される。
【００８６】
また、微小文字群３ｂ１が成しているそれぞれの面積と、画線群３ｂ２が成しているそれぞれの面積は、同等にさせている。それぞれの面積を同等にさせることにより、微小文字を成している微小文字群３ｂ１と、画線を成している画線群３ｂ２は、同等の濃度に視認され、微小文字が文字として視認し難くなる。さらに、画線群３ａ、微小文字群３ｂ１及び画線群３ｂ２の画線幅については、特に限定されるものではないが、画線群３ａ、微小文字群３ｂ１及び画線群３ｂ２が交わらない画線幅が好ましい。微小文字群３ｂ１と画線群３ｂ２の画線の長さについても、特に限定されるものではないが、微小文字群３ｂ１と画線群３ｂ２が交わらない画線の長さが好ましい。画線群３ａ、微小文字群３ｂ１及び画線群３ｂ２のピッチについては、画線面積率に応じて所定のピッチで規則的に配置されている。すなわち、微小文字群３ｂ１と画線群３ｂ２の面積は同等のため、濃度は同等に視認され、微小文字が文字として視認し難くなり、微小文字群３ｂ１と画線群３ｂ２の角度が同角のため、違和感なく馴染んでいるように視認され、図２（ａ）に示された凹版画線の一部に微小文字を違和感なく馴染ませることができている。
【００８７】
図１２（ｂ）に示された従来技術の画線構成である画線群３ａ´、微小文字群３ｂ１´及び画線群３ｂ２´は、任意の角度Ａ１´と同角に配置された画線群３ａ´と、９０度の角度Ａ２´と同角に配置された微小文字群３ｂ１´の「Ｆ」と、９０度の角度Ａ２´と同角に配置された微小文字群３ｂ１´の「Ｎ」が、右側から画線群３ａ´、微小文字群３ｂ１´の「Ｆ」、画線群３ａ´、微小文字群３ｂ１´の「Ｎ」、画線群３ａ´の順に配置され、画線群３ａ´に挟まれた微小文字群３ｂ１´の「Ｆ」と微小文字群３ｂ１´の「Ｎ」は、画線群３ａ´と画線群３ａ´の斜め中心に配置され、任意の角度Ａ１´と同角に配置された画線群３ｂ２´は、微小文字群３ｂ１´の「Ｆ」の字面（じづら）４ｂ´の垂直中心と、画線群３ｂ２´の斜め中心が合うように画線群３ｂ２´が微小文字群３ｂ１´の「Ｆ」を上下に挟むように配置され、微小文字群３ｂ１´の「Ｎ」の字面（じづら）４ｂ´の垂直中心と、画線群３ｂ２´の斜め中心が合うように画線群３ｂ２´が微小文字群３ｂ１´の「Ｎ」を上下に挟むように配置されている。微小文字群３ｂ１´の字面（じづら）４ｂの中心を成すそれぞれの９０度の角度Ａ２´と、画線群３ｂ２´の中心を成すそれぞれの任意の角度Ａ１´は、異なる角度にさせている。それぞれの９０度の角度Ａ２´とそれぞれの任意の角度Ａ１´を異なる角度にさせることにより、微小文字を成している微小文字群３ｂ１´と、画線を成している画線群３ｂ２´は、違和感があり馴染んでいないように視認される。
【００８８】
また、微小文字群３ｂ１´が成しているそれぞれの面積と、画線群３ｂ２´が成しているそれぞれの面積は、同等にさせている。それぞれの面積を同等にさせることにより、微小文字を成している微小文字群３ｂ１´と、画線を成している画線群３ｂ２´は、同等の濃度に視認され、微小文字が文字として視認し難くなる。さらに、画線群３ａ´、微小文字群３ｂ１´及び画線群３ｂ２´の画線幅については、特に限定されるものではないが、画線群３ａ´、微小文字群３ｂ１´及び画線群３ｂ２´が交わらない画線幅が好ましい。微小文字群３ｂ１´と画線群３ｂ２´の画線の長さについても、特に限定されるものではないが、画線群３ａ´と微小文字群３ｂ１´が交わらず、微小文字群３ｂ１´と画線群３ｂ２´が交わらない画線の長さが好ましい。画線群３ａ´、微小文字群３ｂ１´及び画線群３ｂ２´のピッチについては、画線面積率に応じて所定のピッチで規則的に配置されている。すなわち、微小文字群３ｂ１´と画線群３ｂ２´の面積は同等のため、濃度は同等に視認され、微小文字が文字として視認し難くなり、微小文字群３ｂ１´と画線群３ｂ２´の角度が異なるため、違和感があり馴染んでいないように視認される。図１２（ａ）に示された凹版画線と図１２（ｂ）に示された凹版画線を比較すれば一目瞭然であるが、図２（ａ）に示された凹版画線の一部に微小文字を違和感なく馴染ませているのは、図１２（ａ）に示された凹版画線である。
【００８９】
図１３は、本発明の画線構成と従来技術の画線構成の比較が示されたものである。図１３（ａ）は、図７（ｂ）の構成を分かりやすくするために画線の一部を変更（約右半分の部分と約左半分の部分を合成）し、拡大したものである。図１３（ｂ）は、図４（ｂ）の構成を分かりやすくするために画線の一部を変更（約右半分の部分と約左半分の部分を合成）し、拡大したものである。図１３（ａ）に示された本発明の画線構成である画線群３ｃ、微小文字群３ｂ１及び画線群３ｂ２は、任意の角度Ａ１と異なる角度に配置された画線群３ｃと、任意の角度Ａ１と同角に配置された微小文字群３ｂ１の「Ｆ」と、任意の角度Ａ１と同角に配置された微小文字群３ｂ１の「Ｎ」が、上側から画線群３ｃ、画線群３ｃ、微小文字群３ｂ１の「Ｆ」が右側で微小文字群３ｂ１の「Ｎ」が左側で並列を成し、画線群３ｃ、画線群３ｃの順に配置され、画線群３ｃに挟まれた微小文字群３ｂ１の「Ｆ」と微小文字群３ｂ１の「Ｎ」は、画線群３ｃと画線群３ｃの水平中心に配置され、任意の角度Ａ１と同角に配置された画線群３ｂ２は、微小文字群３ｂ１の「Ｆ」の字面（じづら）４ｂの斜め中心と、画線群３ｂ２の斜め中心が合うように画線群３ｂ２が微小文字群３ｂ１の「Ｆ」を上下に挟みつつ、上下の画線群３ｃに交わらず、画線群３ｃと画線群３ｃの水平中心に配置され、微小文字群３ｂ１の「Ｎ」の字面（じづら）４ｂの斜め中心と、画線群３ｂ２の斜め中心が合うように画線群３ｂ２が微小文字群３ｂ１の「Ｎ」を上下に挟みつつ、上下の画線群３ｃに交わらず、画線群３ｃと画線群３ｃの水平中心に配置されている。また、その他の画線群３ｂ２は、前記の位置にならい画線群３ｃに交わらないように配置されている。微小文字群３ｂ１の字面（じづら）４ｂの中心を成すそれぞれの任意の角度Ａ１と、画線群３ｂ２の中心を成すそれぞれの任意の角度Ａ１は、同角にさせている。それぞれの任意の角度Ａ１を同角にさせることにより、微小文字を成している微小文字群３ｂ１と、画線を成している画線群３ｂ２は、違和感なく馴染んでいるように視認される。
【００９０】
また、微小文字群３ｂ１が成しているそれぞれの面積と、画線群３ｂ２が成しているそれぞれの面積は、同等にさせている。それぞれの面積を同等にさせることにより、微小文字を成している微小文字群３ｂ１と、画線を成している画線群３ｂ２は、同等の濃度に視認され、微小文字が文字として視認し難くなる。さらに、画線群３ｃ、微小文字群３ｂ１及び画線群３ｂ２の画線幅については、特に限定されるものではないが、画線群３ｃ、微小文字群３ｂ１及び画線群３ｂ２が交わらない画線幅が好ましい。微小文字群３ｂ１と画線群３ｂ２の画線の長さについても、特に限定されるものではないが、画線群３ｃと微小文字群３ｂ１が交わらず、画線群３ｃと画線群３ｂ２が交わらない画線の長さが好ましい。画線群３ｃ、微小文字群３ｂ１及び画線群３ｂ２のピッチについては、画線面積率に応じて所定のピッチで規則的に配置されている。すなわち、微小文字群３ｂ１と画線群３ｂ２の面積は同等のため、濃度は同等に視認され、微小文字が文字として視認し難くなり、微小文字群３ｂ１と画線群３ｂ２の角度が同角のため、違和感なく馴染んでいるように視認され、図２（ｂ）に示された凹版画線の一部に微小文字を違和感なく馴染ませることができている。
【００９１】
図１３（ｂ）に示された従来技術の画線構成である画線群３ｃ´、微小文字群３ｂ１´及び画線群３ｂ２´は、任意の角度Ａ１´と異なる角度に配置された画線群３ｃ´と、９０度の角度Ａ２´と同角に配置された微小文字群３ｂ１´の「Ｆ」と、９０度の角度Ａ２´と同角に配置された微小文字群３ｂ１´の「Ｎ」が、上側から画線群３ｃ´、画線群３ｃ´、微小文字群３ｂ１´の「Ｆ」が右側で微小文字群３ｂ１´の「Ｎ」が左側で並列を成し、画線群３ｃ´、画線群３ｃ´の順に配置され、画線群３ｃ´に挟まれた微小文字群３ｂ１´の「Ｆ」と微小文字群３ｂ１´の「Ｎ」は、画線群３ｃ´と画線群３ｃ´の水平中心に配置され、任意の角度Ａ１´と同角に配置された画線群３ｂ２´は、微小文字群３ｂ１´の「Ｆ」の字面（じづら）４ｂ´の垂直中心と、画線群３ｂ２´の斜め中心が合うように画線群３ｂ２´が微小文字群３ｂ１´の「Ｆ」を上下に挟みつつ、上下の画線群３ｃ´に交わらず、画線群３ｃと画線群３ｃの水平中心に配置され、微小文字群３ｂ１´の「Ｎ」の字面（じづら）４ｂ´の垂直中心と、画線群３ｂ２´の斜め中心が合うように画線群３ｂ２´が微小文字群３ｂ１´の「Ｎ」を上下に挟みつつ、上下の画線群３ｃ´に交わらず、画線群３ｃと画線群３ｃの水平中心に配置されている。また、その他の画線群３ｂ２´は、前記の位置にならい画線群３ｃ´に交わらないように配置されている。微小文字群３ｂ１´の字面（じづら）４ｂ´の中心を成すそれぞれの９０度の角度Ａ２´と、画線群３ｂ２´の中心を成すそれぞれの任意の角度Ａ１´は、異なる角度にさせている。それぞれの９０度の角度Ａ２´とそれぞれの任意の角度Ａ１´を異なる角度にさせることにより、微小文字を成している微小文字群３ｂ１´と、画線を成している画線群３ｂ２´は、違和感があり馴染んでいないように視認される。
【００９２】
また、微小文字群３ｂ１´が成しているそれぞれの面積と、画線群３ｂ２´が成しているそれぞれの面積は、同等にさせている。それぞれの面積を同等にさせることにより、微小文字を成している微小文字群３ｂ１´と、画線を成している画線群３ｂ２´は、同等の濃度に視認され、微小文字が文字として視認し難くなる。さらに、画線群３ｃ´、微小文字群３ｂ１´及び画線群３ｂ２´の画線幅については、特に限定されるものではないが、画線群３ｃ´、微小文字群３ｂ１´及び画線群３ｂ２´が交わらない画線幅が好ましい。微小文字群３ｂ１´と画線群３ｂ２´の画線の長さについても、特に限定されるものではないが、画線群３ｃ´と微小文字群３ｂ１´が交わらず、画線群３ｃ´と画線群３ｂ２´が交わらない画線の長さが好ましい。画線群３ｃ´、微小文字群３ｂ１´及び画線群３ｂ２´のピッチについては、画線面積率に応じて所定のピッチで規則的に配置されている。すなわち、微小文字群３ｂ１´と画線群３ｂ２´の面積は同等のため、濃度は同等に視認され、微小文字が文字として視認し難くなり、微小文字群３ｂ１´と画線群３ｂ２´の角度が異なるため、違和感があり馴染んでいないように視認される。図１３（ａ）に示された凹版画線と図１３（ｂ）に示された凹版画線を比較すれば一目瞭然であるが、図２（ｂ）に示された凹版画線の一部に微小文字を違和感なく馴染ませているのは、図１３（ａ）に示された凹版画線である。
【００９３】
（実施の形態２）
図１４から図２０までは、本発明の画線構成のバリエーションが示されている。図１４（ａ）に示された凹版画線は、図２（ａ）に示された凹版画線の画線群３ｂ２´の一部の画線群を一つ置きに微小文字群３ｂ１に置き換えたものが示されている。図１４（ｂ）に示された凹版画線は、図１４（ａ）に示された凹版画線に印刷模様２の相対的な濃度を上げるために画線群３ｃが加えられたものが示されている。図１５（ａ）に示された凹版画線は、図２（ａ）に示された凹版画線の画線群３ｂ２´の一部を二つ置きに互い違いに微小文字群３ｂ１に置き換えたものが示されている。図１５（ｂ）に示された凹版画線は、図１５（ａ）に示された凹版画線に印刷模様２の相対的な濃度を上げるために画線群３ｃが加えられたものが示されている。図１６（ａ）に示された凹版画線は、図２（ｂ）に示された凹版画線の画線群３ｂ２´の一部の画線群を一つ置きに微小文字群３ｂ１に置き換えたものが示されている。図１６（ｂ）に示された凹版画線は、図１６（ａ）に示された凹版画線に印刷模様２の相対的な濃度を上げるために画線群３ａが加えられたものが示されている。
【００９４】
図１７（ａ）に示された凹版画線は、図２（ｂ）に示された凹版画線の画線群３ｂ２´の一部を二つ置きに互い違いに微小文字群３ｂ１に置き換えたものが示されている。図１７（ｂ）に示された凹版画線は、図１７（ａ）に示された凹版画線に印刷模様２の相対的な濃度を上げるために画線群３ａが加えられたものが示されている。図１８（ａ）に示された凹版画線は、図３（ｂ）に示された凹版画線の画線群３ｃ´を取り除き、画線群３ｂ２´を倍に増やし、その倍に増やした画線群３ｂ２´を微小文字群３ｂ１に置き換えたものが示されている。図１８（ｂ）に示された凹版画線は、図１８（ａ）に示された凹版画線に印刷模様２の相対的な濃度を上げるために画線群３ｃが加えられたものが示されている。図１９（ａ）に示された凹版画線は、図１８（ａ）に示された凹版画線の微小文字群３ｂ１に画線群３ａを一部重ねたものが示されている。図１９（ｂ）に示された凹版画線は、図１９（ａ）に示された凹版画線に印刷模様２の相対的な濃度を上げるために画線群３ｃが加えられたものが示されている。図２０（ａ）に示された凹版画線は、基本構成である曲線の画線群３ｃと画線群３ｂ２が交互に配置された凹版画線を想定し、その凹版画線の画線群３ｂ２の一部の画線群を一つ置きに微小文字群３ｂ１に置き換えたものが示されている。図２０（ｂ）に示された凹版画線は、図２０（ａ）に示された凹版画線に印刷模様２の相対的な濃度を上げるために曲線の画線群３ａが加えられたものが示されている。
【００９５】
図１４から図２０までに示された凹版画線については、本発明の画線構成のバリエーションの一部が示されたものであり、本実施例では、画線群３ａ同士と画線群３ｃ同士が平行で示されているが、印刷模様２の模様の表現によっては、平行に限定するものではない。また、本実施例では、図１９（ａ）及び図１９（ｂ）に示された凹版画線のように、微小文字群３ｂ１の一部に画線を重ねたものが示されているが、一部ではなく、全部に重ねても構わない。さらに、本実施例では、図１４から図２０までに示された画線が右斜めの任意の角度で示されているが、角度さえ成せば、左斜めなどのように角度を限定するものではない。
【００９６】
図１４から図２０までに示された凹版画線の微小文字、画線幅及びピッチについては、微小文字が１００μｍ〜１,０００μｍの範囲が好ましく、また、画線幅は２０μｍ〜１００μｍの範囲が好ましく、さらに、ピッチについては、１５０μｍ〜５００μｍの範囲が好ましい。
【００９７】
図１４から図２０までに示された凹版画線の階調は、階調が無い状態で表現されているが、画線群３ａと画線群３ｃの画線を点や破線の長さを変化させたり、画線幅を変化させることにより、階調を示させることもできる。
【００９８】
本実施例では、画線を直線と曲線で示されているが、波線や点、分断線で示されても構わない。また、直線と分断線、曲線と分断線の組合せなどで示されても構わない。
【００９９】
本実施例では、微小文字群３ｂ１をアルファベットで示されているが、数字やカタカナで示されても構わない。
【０１００】
本発明の実施形態２は、凹版画線として示されているが、画線構成と文字構成が成されていれば、凹版印刷、オフセット印刷、スクリーン印刷及びプリンタなどのように印刷方式、出力方法は問わない。
【符号の説明】
【０１０１】
１´、１          基材
２´、２          印刷模様
３ａ´、３ａ          画線群
３ｂ１´、３ｂ１          微小文字群
３ｂ２´、３ｂ２          画線群
３ｃ´、３ｃ          画線群
４ａ´、４ａ          ボディサイズ
４ｂ´、４ｂ          字面（じづら）
Ａ１´、Ａ２´、Ａ４´、Ａ１、Ａ２、Ａ３          角度
Ｓ１´、Ｓ２´          面積
Ｗ１´、Ｗ２´、Ｗ１、Ｗ２          幅
Ｘ１、Ｘ２          水平方向
Ｙ１、Ｙ２          垂直方向
【図１】
0006600871.tif 000002
【図２】
0006600871.tif 000003
【図３】
0006600871.tif 000004
【図４】
0006600871.tif 000005
【図５】
0006600871.tif 000006
【図６】
0006600871.tif 000007
【図７】
0006600871.tif 000008
【図８】
0006600871.tif 000009
【図９】
0006600871.tif 000010
【図１０】
0006600871.tif 000011
【図１１】
0006600871.tif 000012
【図１２】
0006600871.tif 000013
【図１３】
0006600871.tif 000014
【図１４】
0006600871.tif 000015
【図１５】
0006600871.tif 000016
【図１６】
0006600871.tif 000017
【図１７】
0006600871.tif 000018
【図１８】
0006600871.tif 000019
【図１９】
0006600871.tif 000020
【図２０】
0006600871.tif 000021